(57)【要約】【課題】植物用紫外線照射器具において、器具周辺に居る作業者の、特にその露出した頭部の紫外線被爆量の低減を図る。【解決手段】植物用紫外線照射器具１は、紫外線を照射する光源２の一部を覆う反射板３を有し、植物用ハウス５に設けられる。反射板３は、植物用ハウス５の出入口５２の最大高さｈの略半分の高さｈ／２よりも高い任意の点Ｘ１と光源２の略中心２ａとを結ぶ線分Ｌ１と交差し、紫外線照射範囲を制限する。出入口５２の最大高さｈは作業者の背丈程度である。従って、作業者が立っている場合、通常、露出されたその頭部は光源２の近傍で紫外線を浴びない。また、光源２から離れた場所では、光源２の一部だけを直視することができるが、光源２から離れることで紫外線照射強度が下がっているので、頭部への紫外線照射量を低減することができる。このため、器具周辺に居る作業者の、特にその頭部の紫外線被曝量を低減させることができる。【選択図】図２
2009106168.tif 000002
【特許請求の範囲】
【請求項１】
紫外線を含む光を照射する光源と、前記光源の一部を覆い該光源からの光を反射する反射板を有した器具外郭とを備え、植物用ハウスに設けられる植物用紫外線照射器具において、
該器具は、植物用ハウスに設けられた出入口の最大高さの略半分の高さよりも低い位置に配置され、
前記器具外郭は、前記出入口の最大高さの略半分の高さよりも高い任意の点と前記光源の略中心とを結ぶ線分と交差するように設けられていることを特徴とする植物用紫外線照射器具。
【請求項２】
植物の育成に応じて前記器具外郭の高さを可変とし、その最大高さを前記出入口の最大高さの略半分よりも低い高さとする昇降部をさらに有することを特徴とする請求項１に記載の植物用紫外線照射器具。
【請求項３】
前記器具外郭には、開口部が設けられ、
前記開口部は、前記光源から照射される紫外線を略遮光するフィルタにより覆われていることを特徴とする請求項１又は請求項２に記載の植物用紫外線照射器具。
【請求項４】
前記光源よりも低い位置にある前記器具外郭の一部分が、紫外線を略反射しない分光反射率を有する面から成り、この面により前記光源からの光を前記出入口の最大高さの略半分の高さよりも高い方向に拡散又は鏡面反射することを特徴とする請求項1乃至請求項３のいずれか一項に記載の植物用紫外線照射器具。
【発明の詳細な説明】
【技術分野】
【０００１】
本発明は、植物用ハウスに設けられ、紫外線を含む光を植物に照射する植物用紫外線照射器具に関する。
【背景技術】
【０００２】
従来から、ランプと、その光を反射する反射シートと、植物との間の距離を測定するためのセンサとを設けた架台部を植物の上方で、センサの測定結果に基づいて昇降させる昇降装置を備えた植物用照明システムが知られている（例えば、特許文献１参照）。
【０００３】
また、植物育成室内の天井に紫外線照射光源を配設した植物育成装置が知られている（例えば、特許文献２参照）。この装置において、紫外線照射光源のケース体の光照射口にはフィルタが装着されている。このフィルタにより、紫外線照射光源から照射される紫外線のうち、略２９０ｎｍ以下の波長領域の光すなわちＵＶ−Ｃは吸収されて透過せず、ＵＶ−Ｂは透過して植物に照射される。
【０００４】
ところで、紫外線は植物病害防除効果を奏するが、約２０［μＷ／ｃｍ２］の照射強度でもって紫外線が人間の肌又は眼に毎日１５分以上照射されると、紅疹又は光角膜炎等が生じ、健康への悪影響が生じる虞がある。従って、特許文献２に記載の技術を植物用ハウスに適用した場合、紫外線照射光源から植物に紫外線を照射すると、植物用ハウス内のいずれの場所でも作業者が紫外線を浴びる。通常、作業者の体の殆んどは被服で覆われているが、顔及び首等を含む頭部は露出しているので、作業者は植物用ハウス内で常に頭部に紫外線を浴び、頭部に紅疹又は光角膜炎等が生じる虞がある。また、特許文献１に記載の技術では、光源として紫外線照射光源を想定しておらず、上記の問題を解決することはできない。
【特許文献１】特開２００１−６９８５３号公報
【特許文献２】特開平１１−２７５９８２号公報
【発明の開示】
【発明が解決しようとする課題】
【０００５】
本発明は、上記の従来の問題を解決するためになされたものであり、器具周辺に居る作業者の、特にその露出した頭部の紫外線被爆量を低減させることができる植物用紫外線照射器具を提供することを目的とする。
【課題を解決するための手段】
【０００６】
上記目的を達成するために請求項１の発明は、紫外線を含む光を照射する光源と、前記光源の一部を覆い該光源からの光を反射する反射板を有した器具外郭とを備え、植物用ハウスに設けられる植物用紫外線照射器具において、該器具は、植物用ハウスに設けられた出入口の最大高さの略半分の高さよりも低い位置に配置され、前記器具外郭は、前記出入口の最大高さの略半分の高さよりも高い任意の点と前記光源の略中心とを結ぶ線分と交差するように設けられているものである。
【０００７】
請求項２の発明は、請求項１に記載の植物用紫外線照射器具において、植物の育成に応じて前記器具外郭の高さを可変とし、その最大高さを前記出入口の最大高さの略半分よりも低い高さとする昇降部をさらに有するものである。
【０００８】
請求項３の発明は、請求項１又は請求項２に記載の植物用紫外線照射器具において、前記器具外郭には、開口部が設けられ、前記開口部は、前記光源から照射される紫外線を略遮光するフィルタにより覆われているものである。
【０００９】
請求項４の発明は、請求項１乃至請求項３のいずれか一項に記載の植物用紫外線照射器具において、前記光源よりも低い位置にある前記器具外郭の一部分が、紫外線を略反射しない分光反射率を有する面から成り、この面により前記光源からの光を前記出入口の最大高さの略半分の高さよりも高い方向に拡散又は鏡面反射するものである。
【発明の効果】
【００１０】
請求項１の発明によれば、植物用ハウスの出入口の最大高さは一般に作業者の背丈程度であり、その出入口の最大高さの略半分の高さよりも高い殆んどの範囲には紫外線が照射されないので、作業者が立っている場合、光源の近傍では光源を直視不可能であり、通常、露出したその頭部は紫外線を浴びず、また、光源から離れた場所では、光源の一部だけを直視することができるが、作業者の頭部に照射される紫外線は、光源の一部からの紫外線であり、光源から離れることで紫外線照射強度が下がっているので、従来のように紫外線照射光源を植物用ハウスの天井に設けた場合と比べ、頭部への紫外線照射量を低減することができる。このため、器具周辺に居る作業者の、特にその露出した頭部の紫外線被曝量を低減させることができる。
【００１１】
請求項２の発明によれば、植物の育成に応じて紫外線を最適な高さから照射することができるので、植物への紫外線照射による病害防除効果の向上を図ることができる。
【００１２】
請求項３の発明によれば、器具外郭の開口部を覆ったフィルタにより、光源からの紫外線が略遮光されるので、作業者の紫外線被曝量が増加することなく、開口部からの光源点灯状態の視認が可能となる。
【００１３】
請求項４の発明によれば、光源から照射されて紫外線を略除かれた光が、植物用ハウスの出入口の最大高さの略半分の高さよりも高い方向に反射されるので、作業者の紫外線被曝量が増加することなく、上記の光に基づいた光源点灯状態の確認が可能となる。
【発明を実施するための最良の形態】
【００１４】
以下、本発明の各種実施形態に係る植物用紫外線照射器具（以下、紫外線照射器具という）について図面を参照して説明する。
（第１の実施形態）
図１乃至図４は、本発明の第１の実施形態に係る紫外線照射器具の植物用ハウス内における配設例及び構成例を示す。この紫外線照射器具１は、植物の病害防除等のため、紫外線を含む光を植物に照射する光源２と、光源２の一部を覆い光源２からの光を反射する反射板３を有した器具外郭４とを備え、植物用ハウス５に設けられる。紫外線照射器具１は、植物用ハウス５内で、その器具外郭４が支持部材５１に支持されており、植物用ハウス５に設けられた作業者用の出入口５２の最大高さｈの略半分の高さｈ／２よりも低い位置に配置されている。反射板３は、横長であり、かつ、その縦断面は略Ｃ字状であり、出入口５２の最大高さｈの略半分の高さｈ／２よりも高い任意の点Ｘ１と光源２の略中心２ａとを結ぶ線分Ｌ１と交差するように設けられている。すなわち、反射板３は、任意の点Ｘ１と断面視で光源２の略中心２ａとの間を遮るように成形されている。反射板３の光照射口３ａは、植物Ｐ１が在る斜め下方を向いている。
【００１５】
紫外線照射器具１は、植物用ハウス５内の両側壁に、畝５３に沿って複数配置されており、配電盤５４から導出された電力供給線５５に接続されている。
【００１６】
光源２は、ＵＶ−Ｂ及びこれより短波長の紫外線を放射する横長の蛍光ランプ、水銀灯又はキセノンランプ等から成る。光源２の点灯動作を安定させるための安定器２１も反射板３により覆われている。
【００１７】
反射板３の内側の反射面は、紫外線領域外の光よりも紫外線領域内の光に対して高い反射率を有した略鏡面から成る。反射板３は、アルミ板、ステンレス板、又はアルミを蒸着若しくは金属薄膜を多層蒸着したガラス板、金属板又は樹脂板により構成される。反射板３の両側端の開口は、器具外郭４の一部を成す壁部４１により塞がれている。
【００１８】
本実施形態においては、反射板３により光源２による紫外線照射範囲が制限され、植物用ハウス５の出入口５２の最大高さｈの略半分の高さｈ／２よりも高い殆んどの範囲では、紫外線が照射されない。ところで、植物用ハウス５の出入口５２の最大高さｈは一般に作業者Ｍ１の背丈程度であり、通常、作業者Ｍ１は身体の殆んどを被服で覆っているが、顔及び首等を含む頭部は露出されている。従って、作業者Ｍ１がしゃがんだ場合には、光源２の全体を直視可能となって、作業者Ｍ１の頭部は紫外線を浴びるが、作業者Ｍ１が移動又は立ち作業等のために立っている場合、光源２の近傍では光源２を直視不可能であり、作業者Ｍ１の頭部は紫外線を浴びない。また、光源２から離れた場所では、光源２の一部だけを直視することができるが、作業者Ｍ１の頭部に照射される紫外線は、光源２の一部からの紫外線であり、光源２から離れることで紫外線照射強度が下がっているので、従来のように紫外線照射光源を植物用ハウスの天井に設けた場合と比べ、頭部への紫外線照射量を低減することができる。このため、器具周辺に居る作業者Ｍ１の、特にその露出した頭部の紫外線被曝量の時間的な総和を低減させることができる。その結果、紅疹・光角膜炎等の発症を防ぐことができる。
【００１９】
なお、器具外郭４は、器具内部への水の侵入を防ぐ防水構造を有していることが望ましい。また、植物用ハウス５は、例えば、果菜、葉物野菜、果実等を内部で栽培する農業用ハウス、ビニールハウス、ガラスハウス等のいずれでもよい。
【００２０】
（第１の実施形態の変形例）
図５は、上記第１の実施形態の一変形例に係る紫外線照射器具１の構成を示す。第１の実施形態と同じ構成要素には同じ符号を付す（以下、同様）。本変形例の紫外線照射器具１の反射板３は、縦断面視で略Ｕ字状又は放物線状であり、その上側の先端は下側の先端よりも長い。反射板３の光源２よりも上側の部分が上述の任意の点Ｘ１と光源２の略中心２ａとの間を遮る。
【００２１】
図６は、上記とは別の変形例に係る紫外線照射器具１の構成を示す。本変形例の紫外線照射器具１の反射板３は、縦断面視で略Ｕ字状又は放物線状であり、光照射口３ａには、反射板３の横方向と平行に設けられた複数のルーバ６が設けられている。ルーバ６はその振れ角が調整されて上述の任意の点Ｘ１と光源２との間を遮る。本変形例においては、ルーバ６の振れ角を調整することで紫外線照射方向を調節することができる。従って、植物の位置に合わせた効率的な紫外線照射が可能となり、植物への紫外線照射による病害防除効果の向上を図ることができる。
【００２２】
（第２の実施形態）
図７は、本発明の第２の実施形態に係る紫外線照射器具の構成を示す。本実施形態に係る紫外線照射器具１の反射板３の上側の先端付近には開口部３１が設けられており、開口部３１は、光源２から照射される紫外線を略遮光するフィルタ７により覆われている。フィルタ７は、例えば略３８０ｎｍ以下の波長の紫外線を略遮光し、かつ、それ以外の光を透過する透光性部材である。その透光性部材は、ＴｉＯ２を塗布したガラス、又は紫外線吸収剤を含むアクリル若しくはポリカーボネート等の樹脂製部材から成る。
【００２３】
本実施形態においては、光源２から照射された光のうち、略３８０ｎｍ以下の波長の紫外線はフィルタ７により遮光され、それ以外の光はフィルタ７を透過して紫外線照射器具１の外部に出射される。従って、作業者は例えば立った状態で開口部３１を覗いて光源２の点灯状態を目視することができる。このため、作業者の紫外線被曝量が増加することなく、作業者による光源２の点灯状態の目視が可能になる。
【００２４】
（第３の実施形態）
図８及び図９は、本発明の第３の実施形態に係る紫外線照射器具の構成及びその配設構成を示す。本実施形態の紫外線照射器具１においては、反射板３の下側の先端に横長の分光反射板８が器具外郭４の一部として設けられている。分光反射板８は、紫外線を略反射しない分光反射率を有する面８ａを備え、光源２よりも低い位置に在る。面８ａは、光源２からの紫外線を除く光を拡散又は鏡面反射する。面８ａの向きは、光源２からの光を植物用ハウス５の出入口５２の最大高さｈの略半分の高さｈ／２よりも高い方向に反射可能な向きとしている。
【００２５】
本実施形態においては、光源２から照射された光が分光反射板８の面８ａにより紫外線を略除かれ、その光Ｌ２が植物用ハウス５の出入口５２の最大高さｈの略半分の高さｈ／２よりも高い方向に反射される。このため、作業者は例えば立った状態で上記の光Ｌ２を基に光源２の点灯状態を確認することができる。従って、作業者の紫外線被曝量が増加することなく、作業者による光源２の点灯状態の確認が可能となる。
【００２６】
（第４の実施形態）
図１０は、本発明の第３の実施形態に係る紫外線照射器具の構成を示す。植物用ハウスの構成については図４を流用して説明する。本実施形態の紫外線照射器具１は、植物の育成に応じて器具外郭４の高さを可変とする昇降部９をさらに有する。昇降部９は、支持部材５１の代わりに器具外郭４を支持し、器具外郭４の最大高さを植物用ハウス５の出入口５２の最大高さｈの略半分ｈ／２よりも低い高さとする。昇降部９は、特開２０００−１８８０１１号公報、又は特開２００６−２６１０１６号公報等に示されるように構成されている。また、昇降部９は、植物用ハウス５の骨組み５６に固定されており、上述の電力供給線５５からの供給電力でもって駆動する。
【００２７】
本実施形態においては、植物の育成に応じて紫外線を最適な高さから照射することができるので、植物への紫外線照射による病害防除効果の向上を図ることができる。また、器具外郭４の最大高さは、出入口５２の最大高さｈの略半分ｈ／２よりも低いので、本実施形態においても第１の実施形態と同じ効果を得ることができる。
【００２８】
なお、本発明は、上記の実施形態の構成に限定されるものでなく、使用目的に応じ、様々な変形が可能である。
【図面の簡単な説明】
【００２９】
【図１】本発明の第１の実施形態に係る植物用紫外線照射器具の植物用ハウス内における配設例を示す斜視図。
【図２】上記配設例の拡大断面図。
【図３】上記器具の斜視図。
【図４】上記器具による作用を示す図。
【図５】上記実施形態の一変形例に係る紫外線照射器具の断面図。
【図６】上記とは別の変形例に係る紫外線照射器具の断面図。
【図７】本発明の第２の実施形態に係る植物用紫外線照射器具の斜視図。
【図８】本発明の第３の実施形態に係る植物用紫外線照射器具の斜視図。
【図９】上記器具の植物用ハウス内における配設例を示す断面図。
【図１０】本発明の第４の実施形態に係る植物用紫外線照射器具の斜視図。
【符号の説明】
【００３０】
１  植物用紫外線照射器具
２  光源
２ａ  光源の略中心
３  反射板
３１  開口部
４  器具外郭
５  植物用ハウス
５２  出入口
７  フィルタ
８  分光反射板
８ａ  分光反射板の1つの面
９  昇降部
【図１】
2009106168.tif 000003
【図２】
2009106168.tif 000004
【図３】
2009106168.tif 000005
【図４】
2009106168.tif 000006
【図５】
2009106168.tif 000007
【図６】
2009106168.tif 000008
【図７】
2009106168.tif 000009
【図８】
2009106168.tif 000010
【図９】
2009106168.tif 000011
【図１０】
2009106168.tif 000012